(57)【要約】【課題】ライト管全体を破棄せずにコストを有効に節約し、環境保護を達成するセパレート型発光ダイオードのライト管を提供する。【解決手段】セパレート型発光ダイオードのライト管は、少なくとも管体、発光モジュール、駆動モジュール及び電気連接モジュールを含む。該発光モジュール及び駆動モジュールは、該管体内に設置し、該発光モジュールは第一回路板及び複数の発光ダイオードを設置し、該駆動モジュールは少なくとも一第二回路板及び駆動回路を設置する。該電気連接モジュールは第一、第二回路板の電気連接を構成して，該駆動モジュールもしくは該発光モジュールを単独で交換もしくは修理でき、ライト管全体を破棄しなくて済み、コストを有効に節約し、環境保護を達成する。【選択図】図２
2010186729.tif 000002
【特許請求の範囲】
【請求項１】
セパレート型発光ダイオードのライト管において、少なくとも、
管体と、
該管体内に設置し、第一回路板及び該第一回路板上に設置した複数の発光ダイオードを設置する発光モジュールと、
該管体内に設置し、少なくとも一第二回路板及び該第二回路板上に設置した駆動回路を設置する駆動モジュールと、
該第一、二回路板の間に設置して第一、二回路板の電気連接を構成する電気連接モジュールを含むことを特徴とするセパレート型発光ダイオードのライト管。
【請求項２】
前記管体は、透光の中空管体で、該管体の二端はそれぞれ固定蓋を組み立て、該固定蓋上には穿孔を設置し、接続端子を固定して、それを露出させ、また該接続端子は該第二回路板と電気連接することを特徴とする請求項１記載のセパレート型発光ダイオードのライト管。
【請求項３】
前記管体は、透光体及びキャリア体を相互に組み立て、且つ該透光体とキャリア体の間には固定裝置を設置し、該キャリア体は設置部及び該設置部下方に設置した放熱台を設置し、該発光モジュールは該設置部上に設置し、また各発光ダイオードの出光面は透光体に向き、且つ該放熱台は凹槽を設置してそこに該第二回路板を納置し、該第二回路板は該第一回路板下方に設置することを特徴とする請求項２記載のセパレート型発光ダイオードのライト管。
【請求項４】
前記管体と固定蓋は、その間に更に連接部品を設置し、該連接部品は穿孔を設置してそこに電気連接モジュールを挿入し、且つ該放熱台は複数の間隔排列した放熱片を設置し、また該連接部品は二放熱片の間隔内の凸塊に嵌合して設置することを特徴とする請求項３記載のセパレート型発光ダイオードのライト管。
【請求項５】
前記電気連接モジュールは、導電端子及び導電孔を設置し、該導電端子は発光モジュール上に設置して該導電孔は該駆動モジュール上に設置するか、もしくは該導電端子は駆動モジュール上に設置して該導電孔は該発光モジュール上に設置することを特徴とする請求項１記載のセパレート型発光ダイオードのライト管。
【請求項６】
前記駆動モジュールは、二個の第二回路板を設置し、各第二回路板はそれぞれ電気連接モジュールで第一回路板の両側に組み立てるか、もしくは該駆動モジュールは設有一個の第二回路板を設置し、該第二回路板は電気連接モジュールで第一回路板一側に組み立てることを特徴とする請求項１記載のセパレート型発光ダイオードのライト管。
【請求項７】
前記ライト管は、更に電気連接部品によって少なくとも一ライト管を結合することを特徴とする請求項６記載のセパレート型発光ダイオードのライト管。
【請求項８】
前記ライト管は、更に電気連接部品によって少なくとも一発光ユニットを結合し、該発光ユニットは管体及び発光モジュールを設置することを特徴とする請求項６記載のセパレート型発光ダイオードのライト管。
【発明の詳細な説明】
【技術分野】
【０００１】
本発明は、セパレート型発光ダイオードのライト管に関するもので、特に駆動モジュールもしくは発光モジュールを単独で交換もしくは修理できるセパレート型発光ダイオードのライト管に係わる。
【背景技術】
【０００２】
科学技術の絶え間ない発展と進歩によって、電子製品及び電子部品は益々軽薄短小へと発展している。前述の電子部品、例として発光ダイオード(LED)は、体積が小さく、節電タイプで寿命が長く且つ環境に配慮していることから、照明設備に於いて徐々に応用されている。しかしながら、発光ダイオードは発展初期の段階で、発光輝度不足の苦境に陥っていたが、近年では材質と技術の上で進歩があり、発光ダイオードの発光効率が大幅に改善されて向上し、伝統的照明設備の輝度と並ぶものも出ており、故に現在の照明に取って代わる勢いである。公知は、LEDを照明設備としたＬＥＤライト管であり、主に、
【０００３】
管体、発光モジュール、駆動回路及び二プラグを含む。該発光モジュールは該管体内部に納置し、該発光モジュールは回路板及び複数のＬＥＤライトを含み、該これらＬＥＤライトは該回路板下方に敷設し、該回路板を電気連接する。該駆動回路は該管体の内部に納置し、該回路板上に位置し、該駆動回路は溶接方式で該回路板を電気連接する。該二プラグは、それぞれ該管体の両端と密封方式で結合し、且つ該二プラグもまたそれぞれ溶接方式で該駆動回路を電気連接する。これらによって、ＬＥＤライト管が構成される。
【０００４】
しかしながら、公知のＬＥＤライト管は、実際に使用する上で、下述の欠点がある。該駆動回路の一般的な使用寿命はおよそ二万時間前後で、また該ＬＥＤライトは五万時間前後である。そのため、このＬＥＤライト管を使用している間に該駆動回路は該ＬＥＤライトより早くに壊れてしまいやすく、且つ該駆動回路は溶接もしくはコード連接で該発光モジュールの回路板上に永久固定方式で電気連接する。更に該二プラグでそれぞれ該管体の両端にそれぞれ密封結合するため、該駆動回路が壊れると、該駆動回路を単独で交換、修理することができないため、ＬＥＤライト管全体を廃棄しなければならず、コストを浪費することになる。
【先行技術文献】
【特許文献】
【０００５】
【特許文献１】台湾  実用新案登録第M343116号
【特許文献２】台湾  実用新案登録第M336388号
【特許文献３】台湾  実用新案登録第M332166号
【発明の概要】
【発明が解決しようとする課題】
【０００６】
解決しようとする問題点は、駆動回路が壊れると、それだけを単独で交換、修理できないため、ＬＥＤライト管すべてを廃棄しなければならず、コストを浪費し、環境保護にも適さない点である。
【課題を解決するための手段】
【０００７】
本発明は、少なくとも管体、発光モジュール、駆動モジュール及び電気連接モジュールを含む。該発光モジュール及び駆動モジュールは、該管体内に設置し、該発光モジュールは第一回路板及び複数の発光ダイオードを設置し、該駆動モジュールは少なくとも第二回路板及び駆動回路を設置する。該電気連接モジュールは第一、第二回路板の電気連接を構成して，該駆動モジュールもしくは該発光モジュールを単独で交換もしくは修理でき、ライト管全体を破棄しなくて済み、コストを有効に節約し、環境保護を達成することを最も主要な特徴とする。
【発明の効果】
【０００８】
本発明のセパレート型発光ダイオードのライト管は、ライト管全体を破棄せずにコストを有効に節約し、環境保護を達成するという利点がある。
【図面の簡単な説明】
【０００９】
【図１】本発明の実施例１で、ライト管の構造立体図である。
【図２】本発明の実施例１で、発光モジュールと駆動モジュールを連接した構造分解図である。
【図３】本発明の実施例２で、ライト管の構造分解図である。
【図４】本発明の実施例２で、ライト管の部分構造指示図である。
【図５】本発明の実施例２で、発光モジュール、駆動モジュールと連接部品の構造分解図である。
【図６】本発明の実施例３で、ライト管の構造分解図である。
【図７】本発明の実施例４で、ライト管の構造分解図である。
【図８】本発明の実施例４で、ライト管の別の角度から見た構造分解図である。
【図９】本発明の実施例５で、ライト管の構造立体図である。
【図１０】本発明の実施例４で、ライト管の部分構造指示図である。
【図１１】本発明の複数のライト管を結合した実施例１構造指示図である。
【図１２】本発明の複数のライト管を結合した実施例２構造指示図である。
【図１３】本発明の複数のライト管を結合した実施例３構造指示図である。
【発明を実施するための形態】
【００１０】
上述から、上述の欠点を解決し、該駆動モジュールもしくは発光モジュールを単独で交換もしくは修理するセパレート型発光ダイオードのライト管を提供する事を本発明の主な目的とする。
【００１１】
上述の目的のため、本発明のライト管は、少なくとも管体、発光モジュール、駆動モジュール及び電気連接モジュールを含む。該発光モジュール及び駆動モジュールは、該管体内に設置し、該発光モジュールは第一回路板及び該第一回路板上に設置した複数の発光ダイオードを設置する。また該駆動モジュールは少なくとも第二回路板及び該第二回路板上に設置した駆動回路を設置する。該電気連接モジュールは第一、二回路板の間に設置し、第一、二回路板が電気連接するだけでなく、該駆動モジュールもしくは該発光モジュールを単独で交換もしくは修理しやすくし、ライト管全体を廃棄しなくて済み、コストを節約し、環境保護を達成する。
【実施例１】
【００１２】
本発明のライト管２は、図１の実施例１に示すとおり、少なくとも管体２１、発光モジュール２３、駆動モジュール２４、電気連接モジュール２５を含む。
【００１３】
該管体２１は、透光の中空管体で、該管体２１は少なくとも一端に固定蓋２２を設置し、該固定蓋２２上には穿孔２２１を穿設し、接続端子２２２を固定して露出させる。
【００１４】
発光モジュール２３は、該管体２１内に設置し、該発光モジュール２３には第一回路板２３１及び該第一回路板２３１上に設置した複数の発光ダイオード２３２を設置する。
【００１５】
駆動モジュール２４は、該管体２１内に設置し、該駆動モジュール２４には少なくとも第二回路板２４１及び該第二回路板２４１上に設置した駆動回路２４２を設置する。図に示す実施例は、二個の第二回路板２４１を設置し、また各第二回路板２４１は該固定蓋２２内に設置する。
【００１６】
該電気連接モジュール２５は、該第一、二回路板２３１、２４１の間に設置し、第一、二回路板２３１、２４１の電気連接を構成する。
【００１７】
全体を組み立てる時、固定蓋２２を管体２１両側に設置して固定し、更に各第二回路板２４１をそれぞれ電気連接モジュール２５で第一回路板２３１の両側に接続する。図２に示すとおり、該電気連接モジュール２５は導電端子２５１及び導電孔２５２を設置し、該導電端子２５１は駆動モジュール２４上に設置し、図中では該第二回路板２４１上に設置する。また該導電孔２５２は該発光モジュール２３上に設置し、図中では該第一回路板２３１上(もしくは該導電端子を発光モジュール上に設置し、該導電孔を該駆動モジュール上に設置する)に設置する。導電端子２５１を導電孔２５２内に差し込んで発光モジュール２３及び駆動モジュール２４を電気連接することにより、該接続端子２２２は該第二回路板２４１と電気連接し(図中の実施例内の該接続端子２２２は直接第二回路板２４１上に溶接する)、且つ該接続端子２２２及び駆動モジュール２４は固定蓋２２(不透光材質でもよい)によって遮蔽保護される。ライト管２全体がライト台上で組み立てられ、外部電源と連接した時、該接続端子２２２は電源を駆動モジュール２４へ送電し、駆動モジュール２４が整流処理し(例としてAC/DCもしくはDC/DCとする)、次に整流後の電流を発光モジュール２３へ伝送して各発光ダイオード２３２を発光させ、照明効果を得る。発光モジュールもしくはそのうちの第二回路板上の駆動回路が修理もしくは交換が必要な時、固定蓋と管体を相互に分離するだけで、同時に該発光モジュールの第一回路板と第二回路板が相互に分離され、単独で該駆動モジュールもしくは該発光モジュールの交換もしくは修理ができ、ライト管全体を廃棄しないですむ。
【実施例２】
【００１８】
図３及び図４は、本発明の実施例２であり、該ライト管は同様に管体２１、発光モジュール２３、駆動モジュール２４及び電気連接モジュール２５を設置する。そのうち該管体２１は、相互に組み立てた透光体２１１及びキャリア体２１２を設置し、且つ該透光体２１１とキャリア体２１２の間には固定裝置２６を設置する。該固定裝置２６は相互に嵌合する凸部２６１及びレール２６２であり、該凸部２６１は、該透光体２１１上に設置し、また該レール２６２は該キャリア体２１２上に設置する(もしくは該凸部は該キャリア体上に設置し、該レールは該透光体上に設置する)。該凸部２６１とレール２６２の嵌合作用によって、該透光体２１１及びキャリア体２１２を相互に嵌合し、且つ該キャリア体２１１は、設置部２１３及び該設置部２１３下方に設置した放熱台２１４を設置し、該発光モジュール２３は、設置部２１３上に設置し、該放熱台２１４は複数の間隔配列した放熱片２１５を設置し、発光モジュール２３が働くことで発生する熱源を取り去るのに用いる。
【００１９】
この他、該管体２１と固定蓋２２の間には更に連接部品２７を設置する。図５に示すとおり、該連接部品２７は穿孔２７１を設置して電気連接モジュール２５を差し込むのに用いる。また本実施例のライト管を組み立てる時、該発光モジュール２３は、該キャリア体の設置部２１３上に設置し、各発光ダイオード２３２の出光面は透光体２１１に向け、該透光体２１１及びキャリア体２１２は固定裝置２６で相互に嵌合し、また該管体２１の二端には更にそれぞれ連接部品２７で該固定蓋２２と組み立てて定位する。更に該連接部品２７は更に凸塊２７２を設置し、該凸塊２７２は放熱台の二放熱片２１５の間に挟持して、各部品の組み立て強度を高める。また発光モジュール２３、駆動モジュール２４及び接続端子２２２間の電気連接は実施例１と同じである。当然、該駆動モジュール２４は、二個の第二回路板２４２を設置してもよい。
【実施例３】
【００２０】
また、図６の実施例３に示すとおり、一個の第二回路板２４２を設置し、該第二回路板２４２は電気連接モジュール２５で第一回路板２３１一側に組み立て、別の一側の接続端子２２２は直接第二回路板２４１上に溶接し、別側の接続端子２２２は電源コード３１で該第二回路板２４１と連接してもよい。
【実施例４】
【００２１】
図７に示すのは、本発明の実施例４であり、該ライト管は同様に、管体２１、発光モジュール２３、駆動モジュール２４及び電気連接モジュール２５を設置する。そのうち、該管体２１は、固定裝置２６で相互に組み立てた透光体２１１及びキャリア体２１２を設置し、該キャリア体２１２は設置部２１３及び該設置部２１３下方に設置した放熱台２１４を設置する。また該駆動モジュール２４は該放熱台２１４上に設置し、該駆動モジュール２４は一個の第二回路板２４１だけを設置する。そのうち、該放熱台２１４は凹槽２１６を設置してそこに該第二回路板２４１を納置する。図８に示すとおり、該第二回路板２４１は該第一回路板２３１下方に設置する。
【実施例５】
【００２２】
勿論、図９の実施例５に示すように、該放熱台２１４には複数の間隔配列した放熱片２１５が設置されているので、該第二回路板２４１を二放熱片２１５の隙間内に設置してもよい。
【００２３】
実施例４、５の組裝方式と実施例２は類似している。該管体の透光体２１１及びキャリア体２１２は同様に固定裝置２６で相互に組み立てて定位する。また該管体２１と固定蓋２２の間は、連接部品２７によって相互に組み立てて定位する。異なる点は、該電気連接モジュール２５は、該放熱台２１４の予め設置した穿孔２１７内に差し込み、図８及び図１０に示すとおり(実施例４を例とする)、該電気連接モジュールの導電端子２５１は、駆動モジュールの第二回路板２４１上に設置し、また該導電孔２５２は該発光モジュールの第一回路板２３１上に設置する(もしくは該導電端子は発光モジュール上に設置して該導電孔は該駆動モジュール上に設置する)。該導電端子２５１は放熱台の穿孔２１７に差し込んで、該導電孔２５２中に差し込み、駆動モジュール２５と発光モジュール２３の電気連接を構成し、該駆動モジュール２５は電源コード３１と二端の固定蓋内の接続端子２２２で電気連接を形成し、ライト管全体の構造を構成する。
【００２４】
他に上述の各実施例のライト管は、異なる組み立てでもよく、上述の各実施例内で一個の第二回路板だけを備える事を例とすると、該ライト管２は、更に電気連接部品４で少なくとも一発光ユニット５を結合したもので、図１１の実施例１に示すとおり、該発光ユニット５は管体５１及び発光モジュール５２を設置し、該ライト管中の発光モジュール２３及び発光ユニット中の発光モジュール５２は一個の第二回路板２４１上の駆動回路２４２を共有する。もしくは図１２の実施例２に示すとおり、単一の第二回路板２４１を備えた各ライト管２は、電気連接部品４によって少なくとも一ライト管２を結合する。他に上述の各実施例に於いて、二個の第二回路板２４１のライト管２を備えるものを例とすると、図１３の実施例３に示すとおり、同様に電気連接部品４で少なくとも一ライト管２を結合する。勿論、上述各実施例に於いて、該発光モジュール２３と第二回路板２４１の連接方向、及び第二回路板２４１と接続端子２２２連接方向間の夾角は１８０度(図１１参照)でもよく、また必要に応じてその他の夾角、例として９０度の夾角配置(図１２参照)でもよい。
【００２５】
特に本発明は、元々ライト管内で永久固定組み立てした駆動モジュール及び発光モジュールを分離式取外し組立できるモジュールにして提供するもので、ユーザーが該駆動モジュールもしくは該発光モジュールを単独で交換もしくは修理しやすく、ライト管全体を廃棄しないで済み、コストを節約し、環境保護効果を達成する。
【００２６】
上述のとおり、本発明は一種のセパレート型発光ダイオードのライト管を提供して発明特許として申請する。しかし、以上の説明及び図式に示すとおり、本発明の良好な実施例は本発明を制限することはなく、依って、本発明の構造、装置、特徴等が近似もしくは雷同するものは、すべて本発明の申請目的及び特許請求の範囲に属する。
【符号の説明】
【００２７】
２        ライト管
２１        管体
２１１        透光体
２１２        キャリア体
２１３        設置部
２１４        放熱台
２１５        放熱片
２１６        凹槽
２１７        穿孔
２２        固定蓋
２２１        穿孔
２２２        接続端子
２３        発光モジュール
２３１        第一回路板
２３２        発光ダイオード
２４        駆動モジュール
２４１        第二回路板
２４２        駆動回路
２５        電気連接モジュール
２５１        導電端子
２５２        導電孔
２６        固定裝置
２６１        凸部
２６２        レール
２７        連接部品
２７１        穿孔
２７２        凸塊
３１        電源コード
４        電気連接部品
５        発光ユニット
５１        管体
５２        発光モジュール
【図１】
2010186729.tif 000003
【図２】
2010186729.tif 000004
【図３】
2010186729.tif 000005
【図４】
2010186729.tif 000006
【図５】
2010186729.tif 000007
【図６】
2010186729.tif 000008
【図７】
2010186729.tif 000009
【図８】
2010186729.tif 000010
【図９】
2010186729.tif 000011
【図１０】
2010186729.tif 000012
【図１１】
2010186729.tif 000013
【図１２】
2010186729.tif 000014
【図１３】
2010186729.tif 000015